(57)【要約】      （修正有）【課題】動物に飲ませる飲水または食べさせる食用餌の調整が円滑に行える飲水容器構造を提供する。【解決手段】飲水容器構造は、動物に水を飲ませる容器組立体４からなり、当該容器組立体は、水を添加する貯留ユニット１を有する上端部と、動物のくちばしに水を飲ませる載置ユニット２を有する下端部と、を備え、それらを組合せ、下端部の載置ユニット２の上縁付近部位の内側に延在する２つの凸部２２が、必要に応じて、上端部の貯留ユニット１が所定高さに位置する対応両側に凹設された上下に間隔を置いた複数本の溝路１３に食い込むようにし、容器組立体４として入水量の制御をする必要がある場合、上端部の貯留ユニット１を手で下端部の載置ユニット２に載架することにより、上端部の貯留ユニットに巻締めされた出水装置と下端部の載置ユニット２との間に所定の入水が得られるように制御する。【選択図】図１
0003189867.tif 000002
【実用新案登録請求の範囲】
【請求項１】
動物に水を飲ませる容器組立体からなる飲水容器構造であって、
前記容器組立体は、密封する蓋体と、水を添加する貯留ユニットを有する上端部と、動物のくちばしに水を飲ませる載置ユニットを有する下端部と、から構成され、
その改良は、前記上端部の前記貯留ユニットと前記下端部の前記載置ユニットとの組合せは、前記下端部の前記載置ユニットの上縁付近部位の内側に延在する２つの凸部が、必要に応じて、前記上端部の前記貯留ユニットが所定高さに位置する対応両側に凹設された上下に間隔を置いた複数本の溝路に食い込むようにし、前記貯留ユニットの下部近傍部位の出口段に沿って出水装置が巻締めされ、前記出水装置は、所定長さを有する一節の案内管を備えると共に、止水球を置くために前記一節の案内管の末端に下向きに内傾した阻止段が嵌め合わされ、前記阻止段で適切な方向性のある制限が形成され、前記一節の案内管の内部の上部近傍段落が一節のねじ山段に形成され、組み付け時に、環状リングを前記貯留ユニットの前記出口段の外周に嵌設してから、その間に前記止水球が置かれた前記一節の案内管を前記貯留ユニットの前記出口段に巻締めることにより、前記出水装置の間の前記止水球を前記下端部の前記載置ユニットの頂当接部により上向きに押し込む場合、出水状態となり、前記貯留ユニットからの出水が前記案内管の下方に達すると、出水を停止し、前記出水装置の前記止水球を自由に下向きに前記案内管の前記阻止段に係止する場合、止水状態となり、前記容器組立体として入水量の制御をする必要がある場合、前記上端部の前記貯留ユニットを手で前記下端部の前記載置ユニットに載架することにより、前記上端部の前記貯留ユニットに巻締めされた前記出水装置と前記下端部の前記載置ユニットとの間に所定の入水が得られるように制御することを特徴とする、飲水容器構造。
【請求項２】
前記容器組立体の下端部に位置する載置ユニットの頂当接部は、微突隆起状を呈する
ことを特徴とする、請求項１に記載の飲水容器構造。
【請求項３】
前記容器組立体の上端部に位置する貯留ユニットの上部近傍の開口は、蓋体と合わせて方向性のある覆設または方向性のある巻締が行われることを特徴とする、請求項１に記載の飲水容器構造。
【考案の詳細な説明】
【技術分野】
【０００１】
本考案は、飲水容器構造に係り、主に動物に水を飲ませる容器組立体に備える上端部の貯留ユニットと、下端部の載置ユニットとの組合せは、下端部の載置ユニットの上縁付近部位の内側に延在する２つの凸部が、必要に応じて、上端部の貯留ユニットが所定高さに位置する対応両側に凹設された上下に間隔を置いた複数本の溝路に食い込むようにし、容器組立体として入水量の制御をする必要がある場合、上端部の貯留ユニットを手で下端部の載置ユニットに載架することにより、上端部の貯留ユニットに巻締めされた出水装置と下端部の載置ユニットとの間に所定の入水の高さ及び開放と閉鎖が得られるように制御することができる、飲水容器構造に関するものである。
【背景技術】
【０００２】
一般に、現在の関連業者が設計した動物に飲用水を飲ませるために使用される飲水器は、通常、所定容積及び造形を有する桶体と、底皿と、から構成され、そのうち、当該桶体から底皿に水を受け溜める実施例としては、まず、桶体を上下逆転させてその内部に清潔な水を入れてから、底皿も上下逆転して桶体の下端部位に対応的に巻締めることで一体に組み立てられ、その後、飲水器を上下戻して配置すれば、前記桶体の内部の水が桶体の下部近傍周辺の所定の出水口を経由して底皿内に導入して、動物に飲ませるための清潔な水として供給される。
【０００３】
ここで、本出願の考案者は、動物の飲用水に対し、入水の多寡及び開閉による調整を行うために必要な組立体を設置することで、使用者は、動物に飲ませる飲水または食べさせる食用餌による適切な調整が円滑に行われることとなる。
【考案の概要】
【考案が解決しようとする課題】
【０００４】
本考案は、動物の飲水を制御するために用いられる容器において、餌やりの必要に応じて適宜に調整可能な組立体を設置することで、前記飲水器または餌いれ容器を備える上端部にある水を添加する貯留ユニットと、動物のくちばしに水を飲ませる載置ユニットとの組合せは、下端部の載置ユニットの上縁付近部位の内側に延在する２つの凸部が、必要に応じて、上端部の貯留ユニットが所定高さに位置する対応両側に凹設された上下に間隔を置いた複数本の溝路に食い込むようにし、容器組立体として入水量の制御及び開閉をする必要がある場合、上端部の貯留ユニットを手で下端部の載置ユニットに載架することにより、上端部の貯留ユニットに巻締めされた出水装置と下端部の載置ユニットとの間に所定の入水の多寡及び開閉が得られるように制御する。
【課題を解決するための手段】
【０００５】
本考案の主な目的は、動物に水を飲ませる容器組立体からなり、容器組立体は、水を添加する貯留ユニットを有する上端部と、動物のくちばしに水を飲ませるかまたは餌を食べさせる載置ユニットを有する下端部と、貯留ユニットの上端の開口に覆設される蓋体と、から構成され、前記上端部の貯留ユニットと下端部の載置ユニットとの組合せは、下端部の載置ユニットの上縁付近部位の内側に延在する２つの凸部が、必要に応じて、上端部の貯留ユニットが所定高さに位置する対応両側に凹設された上下に間隔を置いた複数本の溝路に食い込むようにし、容器組立体として入水量の制御及び開閉をする必要がある場合、上端部の貯留ユニットを手で下端部の載置ユニットに載架することにより、上端部の貯留ユニットに巻締めされた出水装置と下端部の載置ユニットとの間に所定の入水の多寡及び開閉が得られるように制御することを特徴とする、飲水容器構造を提供することである。
【０００６】
本考案の第２の目的は、動物に水を飲ませる容器組立体の上端部に位置する貯留ユニットの出水口には、貯留ユニットの下部近傍部位の出口段に沿って出水装置が巻締めされ、前記出水装置は、所定長さを有する一節の案内管を備えると共に、止水球を置くために前記一節の案内管の末端に下向きに内傾した阻止段が嵌め合わされ、阻止段で適切な方向性のある制限が形成され、前記一節の案内管の内部の上部近傍段落が一節のねじ山段に形成され、組み付け時に、環状リングを貯留ユニットの出口段の外周に嵌設してから、その間に止水球が置かれた前記一節の案内管を貯留ユニットの出口段に巻締めることにより、前記出水装置の間の止水球を下端部の載置ユニットの頂当接部により上向きに押し込む場合、出水状態となり、出水量が出口段の高さに達すると、密封する蓋体で空気が貯留ユニットに進入するのを阻止することで出水装置の出水を停止し、また、出水装置の出水球が載置ユニットの頂当接部から離れる時に、止水球を自由に下向きに案内管の阻止段に係止する場合、止水状態となり、この場合、操作者による水の添加が円滑に行われることとなることを特徴とする、飲水容器構造を提供することである。
【０００７】
本考案の第３の目的は、動物に水を飲ませる容器組立体の上端部に位置する貯留ユニットの上部近傍の開口は、蓋体と合わせて方向性のある覆設または方向性のある巻締が行われることを特徴とする、飲水容器構造を提供することである。
【図面の簡単な説明】
【０００８】
【図１】本考案の飲水用容器の部材分解図である。
【図２】本考案の飲水用容器を組み付けして実施する状態を示す模式図である。
【図３】図２のＡ部位の断面詳細図である。
【図４】本考案の出水装置の部材分解図である。
【図５】本考案の飲水用容器の組立体の前面模式図である。
【図６】本考案の飲水用容器の出水状態における部分的な断面模式図である。
【図７】図６のＢ部位の断面詳細図である。
【図８】本考案の飲水用容器の止水状態における部分的な断面模式図である。
【図９】図８のＣ部位の断面詳細図である。
【考案を実施するための形態】
【０００９】
本考案が設計した飲水容器構造（図１、図５参照）は、動物に水を飲ませる容器組立体４であり、水を添加する貯留ユニット１を有する上端部と、動物のくちばしに水を飲ませる載置ユニット２を有する下端部と、貯留ユニット１の上端の開口に覆設される蓋体３と、から構成される。
【００１０】
そのうち、貯留ユニット１は、所定容積及び造形を有し、上端に設ける開口１１と、下端に設ける出口段１２と、を備える水を貯留するための容器である。貯留ユニット１が所定高さに位置する対応両側に、上下に間隔を置いた複数本の溝路１３（本考案において、ここでは第１溝路１４１と、第２溝路１４２とが凹設されている実施方式）が凹設され、貯留ユニット１の下端の出口段１２に対し、出水装置１５が巻締めされ（図２、図３、図４参照）、前記出水装置１５は、所定長さを有する一節の案内管１６を備えると共に、止水球１７を置くために案内管１６の末端に下向きに内傾した阻止段１６１が嵌め合わされ、阻止段１６１で適切な方向性のある制限が形成され、前記案内管１６の内部の上部近傍段落が一節のねじ山段１６２に形成されることにより、組み付け時に、環状リング１８を貯留ユニット１の出口段１２の外周に嵌設してから、その間に止水球１７が置かれた案内管１６を貯留ユニット１の出口段１２に巻締めることが円滑に行えるようにする。
【００１１】
載置ユニット２は、上端部の貯留ユニット１の外側周辺に基づいて、動物の飲用水を貯留するための部品が決定される。前記載置ユニット２の底部に、微突隆起状の頂当接部２３が設けられ、また前記載置ユニット２の周辺に、動物が飲用水を摂取するための複数個の透孔２１が開設され、載置ユニット２の上縁付近部位の内側層面に、相応する２つの凸部２２が延在する。
【００１２】
蓋体３は、貯留ユニット１の上端的開口１１に基づいて、覆設部品が決定され、密閉状態になる必要がある。
【００１３】
上記した貯留ユニット１と、載置ユニット２と、蓋体３と、に対して組み付けを実施する場合（図２、図６参照）には、上端部の貯留ユニット１の両側の上部近傍の第１溝路１４１の一端（ここでは下向きの方向性のある切欠口１３１として実施される）が、下端部の載置ユニット２の上縁付近部位の２つの凸部２２に対応すれば、２つの凸部２２が上端部の貯留ユニット１的第１溝路１４１の間に食い込むことが可能になる。上端部の貯留ユニット１の出口段１２に結合される出水装置１５は、下端部の載置ユニット２の頂当接部２３の抵抗接触により、出水装置１５の間の止水球１７を内部に沿って上向きに押し込むと、出水状態（図７参照）となり、水量が案内管１６の阻止段１６１に達した後、出水を停止する（この場合、蓋体３と貯留ユニット１とは、密封状態になる必要がある）（図６参照）。
【００１４】
前述した容器組立体４により動物の飲用水の入水制御を実施する場合（図６、図７参照）には、下端部の載置ユニット２の２つの凸部２２を手で上端部の貯留ユニット１の上部近傍の方向性のある第１溝路１４１に案内して食い込ませることにより、貯留ユニット１を下端部の載置ユニット２の下部付近部位に載架すると共に、貯留ユニット１の出口段１２に位置する出水装置１５を載置ユニット２の頂当接部２３に抵抗接触して、出水装置１５の間の止水球１７を上向きに押し込むと、貯留ユニット１内の水５が出口段１２及び出水装置１５を経由して下端部の載置ユニット２に進入し、動物の飲用水になる。
【００１５】
また、容器組立体４により止水を実施する必要がある場合（図８、図９参照）には、上端部の貯留ユニット１を手で上部近傍の第１溝路１４１から下部近傍の第２溝路１４２に変更して、下端部の載置ユニット２の２つの凸部２２を第２溝路１４２に案内して食い込ませることにより、貯留ユニット１を下端部の載置ユニット２の上縁付近部位に載架すると共に、貯留ユニット１の出口段１２に位置する出水装置１５を載置ユニット２の頂当接部２３から一定の距離を保持して、出水装置１５の止水球１７を自由に下向きに案内管１６の阻止段１６１に係止すると、貯留ユニット１内の水５が制限されて落下を停止する止水状態となる。
【符号の説明】
【００１６】
１：貯留ユニット
１１：開口
１２：出口段
１３：溝路
１３１：切欠口
１４１：第１溝路
１４２：第２溝路
１５：出水装置
１６：案内管
１６１：阻止段
１６２：ねじ山段
１７：止水球
１８：環状リング
２：載置ユニット
２１：透孔
２２：凸部
２３：頂当接部
３：蓋体
４：容器組立体
５：水
【図１】
0003189867.tif 000003
【図２】
0003189867.tif 000004
【図３】
0003189867.tif 000005
【図４】
0003189867.tif 000006
【図５】
0003189867.tif 000007
【図６】
0003189867.tif 000008
【図７】
0003189867.tif 000009
【図８】
0003189867.tif 000010
【図９】
0003189867.tif 000011